(57)【要約】【課題】移動通信端末の位置情報を正確に特定することができる管理装置を提供すること。【解決手段】本発明にかかる管理装置３０は、モバイルネットワーク４０に配置されるコアネットワーク装置１０を介して、移動通信端末２０において測定されたＧＰＳ情報が設定された制御メッセージを受信する通信部３１と、ＧＰＳ情報を用いて、移動通信端末２０が予め許可された通信エリアに存在するか否かを判定し、移動通信端末２０が予め許可された通信エリアに存在するか否かの判定結果を用いて移動通信端末２０のモバイルネットワーク４０への接続可否を判定する判定部３２と、を備える。【選択図】図１
2016174337.tif 000002
【特許請求の範囲】
【請求項１】
モバイルネットワークに配置されるコアネットワーク装置を介して、移動通信端末において測定されたＧＰＳ情報が設定された制御メッセージを受信する通信部と、
前記ＧＰＳ情報を用いて、前記移動通信端末が予め許可された通信エリアに存在するか否かを判定し、前記移動通信端末が予め許可された通信エリアに存在するか否かの判定結果を用いて前記移動通信端末の前記モバイルネットワークへの接続可否を判定する判定部と、を備える管理装置。
【請求項２】
前記通信部は、
前記移動通信端末が前記モバイルネットワークへ接続後、前記移動通信端末から定期的に前記ＧＰＳ情報を受信し、
前記判定部は、
前記移動通信端末が前記モバイルネットワークへ接続後、前記ＧＰＳ情報を用いて前記移動通信端末が予め許可された通信エリアに存在するか否かを判定する、請求項１に記載の管理装置。
【請求項３】
前記通信部は、
前記移動通信端末が前記モバイルネットワークへ接続後、前記移動通信端末からユーザデータとして前記ＧＰＳ情報を受信する、請求項２に記載の管理装置。
【請求項４】
前記通信部は、
前記移動通信端末が前記モバイルネットワークへ接続後、前記モバイルネットワークにおいて用いられる制御データとして前記ＧＰＳ情報を受信する、請求項２に記載の管理装置。
【請求項５】
前記判定部は、
前記移動通信端末が前記モバイルネットワークへ接続後、前記移動通信端末が予め許可された通信エリア外に存在すると判定した場合、前記移動通信端末の接続を解除することを決定する、請求項２乃至４のいずれか１項に記載の管理装置。
【請求項６】
前記判定部は、
前記移動通信端末が前記モバイルネットワークへ接続後、前記移動通信端末が予め許可された通信エリア外に存在すると判定した場合、前記移動通信端末が予め許可されたサービスを利用している間、前記移動通信端末の前記モバイルネットワークへの接続を維持する、請求項２乃至５のいずれか１項に記載の管理装置。
【請求項７】
前記通信部は、
前記ＧＰＳ情報とともに前記移動通信端末の呼種別情報を受信し、
前記判定部は、
前記ＧＰＳ情報を用いて、前記移動通信端末が予め許可された通信エリアに存在するか否かを判定した位置情報判定結果と、前記呼種別情報を用いて、前記移動通信端末が予め許可されたサービスを利用してするか否かを判定した呼種別判定結果と、を用いて前記移動通信端末の前記モバイルネットワークへの接続可否を判定する、請求項１乃至６のいずれか１項に記載の管理装置。
【請求項８】
前記判定部は、
前記移動通信端末が予め許可された通信エリアに存在する場合に許可するサービスと、前記移動通信端末が予め許可された通信エリア外に存在する場合に許可するサービスとを管理する、請求項１乃至６のいずれか１項に記載の管理装置。
【請求項９】
移動通信端末において測定されたＧＰＳ情報を用いて、前記移動通信端末のモバイルネットワークへの接続可否を判定する管理装置へ、前記モバイルネットワークにおいて用いられる制御データとして前記ＧＰＳ情報を送信する通信部、を備えるコアネットワーク装置。
【請求項１０】
移動通信端末のＧＰＳ情報を用いて、前記移動通信端末のモバイルネットワークへの接続可否を判定する管理装置へ、前記モバイルネットワークにおいて用いられる制御データとして前記ＧＰＳ情報を、前記モバイルネットワークに配置されているコアネットワーク装置を介して送信する、移動通信端末。
【請求項１１】
モバイルネットワークに配置されるコアネットワーク装置と、
ＧＰＳ情報を設定した制御メッセージを送信する移動通信端末と、
前記コアネットワーク装置を介して前記制御メッセージを受信し、前記ＧＰＳ情報を用いて、前記移動通信端末が予め許可された通信エリアに存在するか否かを判定し、前記移動通信端末の前記モバイルネットワークへの接続可否を判定する管理装置と、を備える通信システム。
【請求項１２】
モバイルネットワークに配置されるコアネットワーク装置を介して、移動通信端末において測定されたＧＰＳ情報が設定された制御メッセージを受信し、
前記ＧＰＳ情報を用いて、前記移動通信端末が予め許可された通信エリアに存在するか否かを判定し、
前記移動通信端末が予め許可された通信エリアに存在するか否かの判定結果を用いて、前記移動通信端末の前記モバイルネットワークへの接続可否を判定する、判定方法。
【請求項１３】
移動通信端末のＧＰＳ情報を用いて、前記移動通信端末のモバイルネットワークへの接続可否を判定する管理装置へ、前記モバイルネットワークにおいて用いられる制御データとして前記ＧＰＳ情報を、前記モバイルネットワークに配置されているコアネットワーク装置を介して送信する、位置情報送信方法。
【請求項１４】
モバイルネットワークに配置されるコアネットワーク装置を介して、移動通信端末において測定されたＧＰＳ情報が設定された制御メッセージを受信し、
前記ＧＰＳ情報を用いて、前記移動通信端末が予め許可された通信エリアに存在するか否かを判定し、
前記移動通信端末が予め許可された通信エリアに存在するか否かの判定結果を用いて、前記移動通信端末の前記モバイルネットワークへの接続可否を判定することをコンピュータに実行させるプログラム。
【発明の詳細な説明】
【技術分野】
【０００１】
本発明は管理装置、コアネットワーク装置、移動通信端末、通信システム、判定方法及びプログラムに関し、特にモバイルネットワークにおいて用いられる管理装置、コアネットワーク装置、移動通信端末、通信システム、判定方法及びプログラムに関する。
【背景技術】
【０００２】
近年、スマートフォンが広く普及し、さらに、多種多様なスマートフォンが提供されている。例えば、スマートフォンには、多機能を有する高価格なスマートフォン、もしくは、限られた機能のみを有する低価格なスマートフォン等がある。また、スマートフォンが利用可能なネットワーク機能を制限することによって、スマートフォンを利用するユーザが支払う料金を下げる等の柔軟な課金体系も検討されている。
【０００３】
柔軟な課金体系の一例として、ユーザがスマートフォンを利用できるエリアを限定することによって、ユーザが支払う料金を下げるということが検討されている。例えば、非特許文献１及び２には、Ａｔｔａｃｈエリアを限定する際の動作が開示されている。Ａｔｔａｃｈエリアを限定することによって、ユーザがスマートフォンを利用できるエリアを限定することができる。また、非特許文献３には、Ａｔｔａｃｈ処理の流れが記載されている。
【先行技術文献】
【非特許文献】
【０００４】
【非特許文献１】3GPP TS23.003 V13.0.0（2014-12）4.4 Regional Subscription Zone Identity (RSZI)
【非特許文献２】3GPP TS29.272 V13.0.0（2014-12） 7.3.52 Regional-Subscription-Zone-Code
【非特許文献３】3GPP TS23.401 V13.1.0（2014-12） 5.3.2 Attach procedure
【発明の概要】
【発明が解決しようとする課題】
【０００５】
非特許文献１及び２においては、スマートフォンの利用できるエリアを特定するために、スマートフォンが接続している基地局の識別情報、位置登録エリア等の情報が用いられる。しかし、基地局の識別情報、位置登録エリア等の情報は、通信事業者がモバイルネットワークを維持及び管理する際に、変更されることがある。そのため、通信事業者が管理する情報を用いてスマートフォンの位置を特定する場合、スマートフォンの利用できるエリアを正確に特定することができなくなる可能性がある、という問題がある。また、非特許文献３にも、スマートフォン等の利用できるエリアを正確に特定するための処理については記載されていない。
【０００６】
本発明の目的は、移動通信端末の位置情報を正確に特定することができる管理装置、コアネットワーク装置、移動通信端末、通信システム、判定方法及びプログラムを提供することにある。
【課題を解決するための手段】
【０００７】
本発明の第１の態様にかかる管理装置は、モバイルネットワークに配置されるコアネットワーク装置を介して、移動通信端末において測定されたＧＰＳ情報が設定された制御メッセージを受信する通信部と、前記ＧＰＳ情報を用いて、前記移動通信端末が予め許可された通信エリアに存在するか否かを判定し、前記移動通信端末が予め許可された通信エリアに存在するか否かの判定結果を用いて前記移動通信端末の前記モバイルネットワークへの接続可否を判定する判定部と、を備えるものである。
【０００８】
本発明の第２の態様にかかるコアネットワーク装置は、移動通信端末において測定されたＧＰＳ情報を用いて、前記移動通信端末のモバイルネットワークへの接続可否を判定する管理装置へ、前記モバイルネットワークにおいて用いられる制御データとして前記ＧＰＳ情報を送信する通信部、を備えるものである。
【０００９】
本発明の第３の態様にかかる移動通信端末は、移動通信端末のＧＰＳ情報を用いて、前記移動通信端末のモバイルネットワークへの接続可否を判定する管理装置へ、前記モバイルネットワークにおいて用いられる制御データとして前記ＧＰＳ情報を、前記モバイルネットワークに配置されているコアネットワーク装置を介して送信するものである。
【００１０】
本発明の第４の態様にかかる通信システムは、モバイルネットワークに配置されるコアネットワーク装置と、ＧＰＳ情報を設定した制御メッセージを送信する移動通信端末と、前記コアネットワーク装置を介して前記制御メッセージを受信し、前記ＧＰＳ情報を用いて、前記移動通信端末が予め許可された通信エリアに存在するか否かを判定し、前記移動通信端末の前記モバイルネットワークへの接続可否を判定する管理装置と、を備えるものである。
【００１１】
本発明の第５の態様にかかる判定方法は、モバイルネットワークに配置されるコアネットワーク装置を介して、移動通信端末において測定されたＧＰＳ情報が設定された制御メッセージを受信し、前記ＧＰＳ情報を用いて、前記移動通信端末が予め許可された通信エリアに存在するか否かを判定し、前記移動通信端末が予め許可された通信エリアに存在するか否かの判定結果を用いて、前記移動通信端末の前記モバイルネットワークへの接続可否を判定するものである。
【００１２】
本発明の第６の態様にかかる位置情報送信方法は、移動通信端末のＧＰＳ情報を用いて、前記移動通信端末のモバイルネットワークへの接続可否を判定する管理装置へ、前記モバイルネットワークにおいて用いられる制御データとして前記ＧＰＳ情報を、前記モバイルネットワークに配置されているコアネットワーク装置を介して送信するものである。
【００１３】
本発明の第７の態様にかかるプログラムは、モバイルネットワークに配置されるコアネットワーク装置を介して、移動通信端末において測定されたＧＰＳ情報が設定された制御メッセージを受信し、前記ＧＰＳ情報を用いて、前記移動通信端末が予め許可された通信エリアに存在するか否かを判定し、前記移動通信端末が予め許可された通信エリアに存在するか否かの判定結果を用いて、前記移動通信端末の前記モバイルネットワークへの接続可否を判定することをコンピュータに実行させるものである。
【発明の効果】
【００１４】
本発明により、移動通信端末の位置情報を正確に特定することができる管理装置、コアネットワーク装置、移動通信端末、通信システム、判定方法及びプログラムを提供することができる。
【図面の簡単な説明】
【００１５】
【図１】実施の形態１にかかる通信システムの構成図である。
【図２】実施の形態２にかかる通信システムの構成図である。
【図３】実施の形態２にかかるＵＥの構成図である。
【図４】実施の形態２にかかるＭＭＥの構成図である。
【図５】実施の形態２にかかるＵＥのモバイルネットワークへの接続を許可するか否かを判定する処理の流れを示す図である。
【図６】実施の形態２にかかるＵＥのモバイルネットワークへの接続を許可するか否かを判定する処理の流れを示す図である。
【図７】実施の形態２にかかるＵＥのモバイルネットワークへの接続を許可するか否かを判定する処理の流れを示す図である。
【図８】実施の形態２にかかるＵＥのモバイルネットワークへの接続を許可するか否かを判定する処理の流れを示す図である。
【図９】実施の形態３にかかるＰＤＰ解放処理の流れを示す図である。
【図１０】実施の形態３にかかるＰＤＰ解放処理の流れを示す図である。
【図１１】実施の形態３にかかるＰＤＰ解放処理の流れを示す図である。
【図１２】実施の形態３にかかるＰＤＰ解放処理の流れを示す図である。
【図１３】実施の形態３にかかるＰＤＰ解放処理の流れを示す図である。
【図１４】実施の形態３にかかるＰＤＰ解放処理の流れを示す図である。
【図１５】実施の形態３にかかるＰＤＰ解放処理の流れを示す図である。
【図１６】実施の形態３にかかるＰＤＰ解放処理の流れを示す図である。
【発明を実施するための形態】
【００１６】
（実施の形態１）
以下、図面を参照して本発明の実施の形態について説明する。はじめに、図１を用いて本発明の実施の形態１にかかる通信システムの構成例について説明する。図１の通信システムは、コアネットワーク装置１０、移動通信端末２０及び管理装置３０を有している。コアネットワーク装置１０は、モバイルネットワーク４０内に配置されている。
【００１７】
コアネットワーク装置１０、移動通信端末２０及び管理装置３０は、プロセッサがメモリに格納されているプログラムを実行することによって動作するコンピュータ装置であってもよい。プロセッサは、例えば、ＣＰＵ(Central Processing Unit)であってもよい。また、コアネットワーク装置１０及び管理装置３０は、サーバ装置であってもよい。移動通信端末２０は、携帯電話端末、スマートフォン端末もしくはタブレット型端末等であってもよい。もしくは、移動通信端末２０は、通信機能を有するパーソナルコンピュータ装置であってもよい。
【００１８】
続いて、管理装置３０の構成例について説明する。管理装置３０は、通信部３１及び判定部３２を有している。通信部（送受信部）３１は、モバイルネットワーク４０に配置されるコアネットワーク装置１０を介して、移動通信端末２０において測定されたＧＰＳ（Global Positioning System）情報が設定された制御メッセージを受信する。
【００１９】
モバイルネットワーク４０は、例えば、３ＧＰＰ（3rd Generation Partnership Project）において規定されている動作を実行するネットワークであってもよい。この場合、コアネットワーク装置１０は、３ＧＰＰにおいて規定されているノード装置であってもよい。制御メッセージは、例えば、Ｃ−Ｐｌａｎｅ（Control Plane）メッセージ等と称されてもよい。また、制御メッセージは、３ＧＰＰにおいて規定されているメッセージであってもよい。
【００２０】
判定部３２は、制御メッセージに設定されたＧＰＳ情報を用いて、移動通信端末２０が予め許可された通信エリアに存在するか否かを判定し、移動通信端末２０のモバイルネットワーク４０への接続可否を判定する。予め許可された通信エリアは、地図上に示されるエリアであってもよい。例えば、予め許可された通信エリアは、住所によって示されてもよく、緯度経度情報によって示されてもよい。モバイルネットワーク４０に接続された状態とは、移動通信端末２０がモバイルネットワーク４０を介してデータを送受信することができる状態である。
【００２１】
以上説明したように、管理装置３０は、移動通信端末２０のＧＰＳ情報を用いて、移動通信端末２０の位置を特定し、移動通信端末２０が予め許可された通信エリアに存在するか否かを判定することができる。ＧＰＳ情報は、通信事業者によって変更される情報ではない。そのため、管理装置３０は、通信事業者によるモバイルネットワーク４０における管理情報の変更等の影響を受けることなく、移動通信端末２０の位置を正確に特定することができる。
【００２２】
（実施の形態２）
続いて、図２を用いて本発明の実施の形態２にかかる通信システムの構成例について説明する。図２の通信システムは、３ＧＰＰにおいて規定されているネットワークの構成を示している。図２の通信システムは、ＵＥ（User Equipment）５０、ｅＮＢ（evolved NodeB）６０、ＳＧＷ（Serving Gateway）７０、ＰＧＷ（PDN-Gateway）８０、ＭＭＥ（Mobility Management Entity）９０、ＰＣＲＦ（Policy and Charging Rules Function）１００、ＨＳＳ（Home Subscriber Server）１１０及び管理装置３０を有している。
【００２３】
ＵＥ５０は、３ＧＰＰにおける移動通信端末の総称である。ＵＥ５０は、図１の移動通信端末２０に相当する。ｅＮＢ６０は、通信方式としてＬＴＥ（Long Term Evolution）を実行することができる基地局である。ＳＧＷ７０及びＰＧＷ８０は、ＵＥ５０に関するユーザデータを中継する装置である。ＭＭＥ９０は、ＵＥ５０に関する呼処理制御を行う。ＰＣＲＦ１００は、課金制御もしくはネットワークのポリシーに応じた経路制御等を行う。ＨＳＳ１１０は、ＵＥ５０の加入者データを保持する。ＳＧＷ７０、ＰＧＷ８０、ＭＭＥ９０、ＰＣＲＦ１００及びＨＳＳ１１０は、図１のコアネットワーク装置１０に相当する。また、ｅＮＢ６０、ＳＧＷ７０、ＰＧＷ８０、ＭＭＥ９０、ＰＣＲＦ１００及びＨＳＳ１１０は、図１のモバイルネットワーク４０を構成する。
【００２４】
続いて、図３を用いて本発明の実施の形態２にかかるＵＥ５０の構成例について説明する。ＵＥ５０は、通信部（送受信部）５１、ＧＰＳ情報生成部５２及び信号生成部５３を有している。
【００２５】
ＧＰＳ情報生成部５２は、ＧＰＳ情報を生成する。ＧＰＳ情報生成部５２は、定期的にＧＰＳ情報を生成してもよく、ＵＥ５０を操作するユーザの指示に応じてＧＰＳ情報を生成してもよい。ＧＰＳ情報は、緯度経度を示す情報であってもよく、緯度経度を示す情報を用いて生成された住所を示す情報等であってもよい。
【００２６】
信号生成部５３は、モバイルネットワーク４０へ送信する信号を生成する。例えば、信号生成部５３は、モバイルネットワーク４０へ送信する制御メッセージもしくはユーザデータを生成してもよい。制御メッセージは、Ｃ−Ｐｌａｎｅデータと称されてもよく、ユーザデータは、Ｕ−Ｐｌａｎｅ（User Plane）データと称されてもよい。
【００２７】
信号生成部５３は、ＧＰＳ情報生成部５２において生成されたＧＰＳ情報を設定した制御メッセージを生成する。つまり、信号生成部５３は、ＧＰＳ情報をアプリケーションデータもしくはユーザデータとしてモバイルネットワーク４０へ送信するのではなく、ＧＰＳ情報を制御メッセージとしてモバイルネットワーク４０へ送信することができる。
【００２８】
また、信号生成部５３は、ＵＥ５０がモバイルネットワーク４０へ接続した後においては、ＧＰＳ情報生成部５２において生成されたＧＰＳ情報をユーザデータとして管理装置３０へ送信してもよい。
【００２９】
通信部５１は、信号生成部５３において生成された信号をｅＮＢ６０へ送信する。通信部５１は、例えば、ＬＴＥを利用した無線通信によって、ｅＮＢ６０へ信号を送信してもよい。
【００３０】
続いて、図４を用いて本発明の実施の形態２にかかるＭＭＥ９０の構成例について説明する。ＭＭＥ９０は、通信部９１及び信号生成部９２を有している。
【００３１】
通信部（送受信部）９１は、ｅＮＢ６０を介してＵＥ５０から送信された制御メッセージを受信する。さらに、通信部９１は、信号生成部９２において生成された制御メッセージを、管理装置３０を含む周辺のノード装置へ送信する。
【００３２】
信号生成部９２は、ＵＥ５０から送信された制御メッセージに設定されたＧＰＳ情報を抽出する。さらに、信号生成部９２は、抽出したＧＰＳ情報を設定した制御メッセージを生成する。信号生成部９２は、ＧＰＳ情報を設定した制御メッセージを、通信部９１を介して、例えば、ＨＳＳ１１０もしくは管理装置３０へ送信する。
【００３３】
本図においては、ＭＭＥ９０の構成例について説明したが、ＳＧＷ７０、ＰＧＷ８０及びＰＣＲＦ１００においても、ＭＭＥ９０と同様の機能を有してもよい。つまり、ＳＧＷ７０、ＰＧＷ８０及びＰＣＲＦ１００は、ＧＰＳ情報を設定した制御メッセージを、ＨＳＳ１１０もしくは管理装置３０へ送信することができる。
【００３４】
続いて、図５を用いて本発明の実施の形態２にかかるＵＥ５０のモバイルネットワーク４０への接続を許可するか否かを判定する処理の流れについて説明する。本図においては、ＨＳＳ１１０が、管理装置３０の機能を有するとして、判定処理の流れについて説明する。また、本図においては、ＵＥ５０が、電源をＯＮ状態等にした際に実行するＡｔｔａｃｈ処理において、ＵＥ５０のモバイルネットワーク４０への接続を許可するか否かを判定する処理の流れについて説明する。
【００３５】
はじめに、ＵＥ５０は、ＭＭＥ９０へNAS:S1AP-InitialUEMessage/EMM-Attach Req/ESM-PdnConnectReqメッセージを送信する（Ｓ１１）。NAS:S1AP-InitialUEMessage/EMM-Attach Req/ESM-PdnConnectReqメッセージは、S1AP-InitialUEMessageに、EMMメッセージ及びESMメッセージが含まれていることを示している。例えば、ＵＥ５０は、ESM-PdnConnectReqメッセージにＧＰＳ情報を設定する。ＭＭＥ９０は、ステップＳ１１において送信されたESM-PdnConnectReqメッセージに設定されたＧＰＳ情報を保持する。
【００３６】
次に、ＵＥ５０、ＭＭＥ９０及びＨＳＳ１１０は、ＵＥ５０に関する認証処理を実行する（Ｓ１２）。次に、ＭＭＥ９０は、ＨＳＳ１１０へUpdate Location Requestメッセージを送信する（Ｓ１３）。次に、ＨＳＳ１１０は、応答信号として、ＵＥ５０の加入者情報を設定したUpdate Location AnswerメッセージをＭＭＥ９０へ送信する（Ｓ１４）。
【００３７】
次に、ＭＭＥ９０は、ステップＳ１１において受信したＵＥ５０のＧＰＳ情報を設定したNotify RequestメッセージをＨＳＳ１１０へ送信する（Ｓ１５）。次に、ＨＳＳ１１０は、ＧＰＳ情報から特定されるＵＥ５０の位置が、予め通信を許可されているエリア内であるか否かを判定する（Ｓ１６）。
【００３８】
次に、ＨＳＳ１１０は、ＵＥ５０の接続を許可するか否かに関する判定結果を設定したNotifyAnwserメッセージをＭＭＥ９０へ送信する（Ｓ１７）。Notify Requestメッセージ及びNotify Answerメッセージは、ＭＭＥ９０とＨＳＳ１１０との間において定義されるＳ６ａインタフェースにおいて用いられるメッセージである。ＭＭＥ９０は、接続を許可しないとする判定結果を受信した場合、ＵＥ５０のＡｔｔａｃｈを拒否する処理を実行し、接続を許可するとする判定結果を受信した場合、ＵＥ５０のＡｔｔａｃｈ処理を継続する（Ｓ１８）。ＭＭＥ９０は、ステップＳ１８において、ＵＥ５０へ、Ａｔｔａｃｈ接続可否に関する情報を通知してもよい。また、ＨＳＳ１１０は、接続を許可しないと判定した場合、Notify Answerメッセージに、接続を許可しないと判定した理由を示す値を設定してもよい。
【００３９】
続いて、図６を用いて本発明の実施の形態２の変形例にかかるＵＥ５０のモバイルネットワーク４０への接続を許可するか否かを判定する処理の流れについて、図５の処理の流れと異なる処理について説明する。本図においては、ＨＳＳ１１０は、管理装置３０において実行される機能を有しておらず、ＨＳＳ１１０と管理装置３０とは異なる装置として説明する。
【００４０】
ステップＳ２１〜Ｓ２４は、図５におけるステップＳ１１〜Ｓ１４と同様であるため詳細な説明を省略する。
【００４１】
次に、ＭＭＥ９０は、ＨＳＳ１１０へNotify Requestメッセージを送信する（Ｓ２５）。ステップＳ２５においては、ＭＭＥ９０は、ステップＳ２１において受信したＧＰＳ情報を、Notify Requestメッセージに設定していない。例えば、ＭＭＥ９０は、ＵＥ５０が位置するセルを示すCell ID等をＨＳＳ１１０へ通知するためにNotify RequestメッセージをＨＳＳ１１０へ送信する（Ｓ２５）。次に、ＨＳＳ１１０は、Notify Requestメッセージに対する応答メッセージとして、Notify AnswerメッセージをＭＭＥ９０へ送信する（Ｓ２６）。
【００４２】
次に、ＭＭＥ９０は、ステップＳ２１において受信したＵＥ５０のＧＰＳ情報を設定した位置情報通知メッセージを管理装置３０へ送信する（Ｓ２７）。位置情報通知メッセージは、例えば、Diameterプロトコルによって定義されるメッセージであってもよい。
【００４３】
次に、管理装置３０は、ＧＰＳ情報から特定されるＵＥ５０の位置が、予め通信を許可されているエリアか否かを判定する（Ｓ２８）。
【００４４】
次に、管理装置３０は、ＵＥ５０の接続を許可するか否かに関する判定結果を設定した位置情報通知応答メッセージをＭＭＥ９０へ送信する（Ｓ２９）。位置情報通知応答メッセージは、位置情報通知メッセージと同様にDiameterプロトコルによって定義されるメッセージであってもよい。ＭＭＥ９０は、接続を許可しないとする判定結果を受信した場合、ＵＥ５０のＡｔｔａｃｈを拒否する処理を実行し、接続を許可するとする判定結果を受信した場合、ＵＥ５０のＡｔｔａｃｈ処理を継続する（Ｓ３０）。ＭＭＥ９０は、ステップＳ３０において、ＵＥ５０へ、Ａｔｔａｃｈ接続可否に関する情報を通知してもよい。また、管理装置３０は、接続を許可しないと判定した場合、位置情報通知応答メッセージに、接続を許可しないと判定した理由を示す値を設定してもよい。
【００４５】
続いて、図７を用いて本発明の実施の形態２の変形例２にかかるＵＥ５０のモバイルネットワーク４０への接続を許可するか否かを判定する処理の流れについて、図５及び図６の処理の流れと異なる処理について説明する。
【００４６】
ステップＳ３１〜３６は、図６のステップＳ２１〜Ｓ２６と同様であるため詳細な説明を省略する。但し、ここでは、ＭＭＥ９０は、ＨＳＳ１１０ではなく、ＰＣＲＦ１００との間で処理を行っている。次に、ＭＭＥ９０は、ＳＧＷ７０へＧＰＳ情報を設定したGTPv2 Create Session Requestメッセージを送信し、さらに、ＳＧＷ７０は、ＰＧＷ８０へＧＰＳ情報を設定したGTPv2 Create Session Requestメッセージを送信する（Ｓ３７）。ＭＭＥ９０とＰＧＷ８０との間においてGTPv2 Create Session Requestメッセージが送受信されることによって、ＳＧＷ７０とＰＧＷ８０との間のセッションが確立する。
【００４７】
次に、ＰＧＷ８０は、ステップＳ３７において受け取ったＧＰＳ情報を設定したCredit Control RequestメッセージをＰＣＲＦ１００へ送信する（Ｓ３８）。
【００４８】
次に、ＰＣＲＦ１００は、ステップＳ３８において受信したＵＥ５０のＧＰＳ情報を設定した位置情報通知メッセージを管理装置３０へ送信する（Ｓ３９）。位置情報通知メッセージは、例えば、Diameterプロトコルによって定義されるメッセージであってもよい。
【００４９】
次に、管理装置３０は、ＧＰＳ情報から特定されるＵＥ５０の位置が、予め通信を許可されているエリア内であるか否かを判定する（Ｓ４０）。
【００５０】
次に、管理装置３０は、ＵＥ５０の接続を許可するか否かに関する判定結果を設定した位置情報通知応答メッセージをＰＣＲＦ１００へ送信する（Ｓ４１）。位置情報通知応答メッセージは、位置情報通知メッセージと同様にDiameterプロトコルによって定義されるメッセージであってもよい。また、管理装置３０は、接続を許可しないと判定した場合、位置情報通知応答メッセージに、接続を許可しないと判定した理由を示す値を設定してもよい。
【００５１】
次に、ＰＣＲＦ１００は、ステップＳ３８におけるCredit Control Requestメッセージへの応答としてCredit Control AnswerメッセージをＰＧＷ８０へ送信する（Ｓ４２）。ここで、ＰＣＲＦ１００は、ステップＳ４１において、ＵＥ５０の接続を許可しないと判定した理由を示す値が設定されていた場合、Credit Control AnswerメッセージにおいてもＵＥ５０の接続を許可しないと判定した理由を示す値を設定してもよい。
【００５２】
次に、ＰＧＷ８０は、ステップＳ３７におけるGTPv2 Create Session Requestメッセージへの応答として、GTPv2 Create Session ResponseメッセージをＭＭＥ９０へ送信する（Ｓ４３）。ここで、ＰＧＷ８０は、ステップＳ４２において、ＵＥ５０の接続を許可しないと判定した理由を示す値が設定されていた場合、GTPv2 Create Session ResponseメッセージにおいてもＵＥ５０の接続を許可しないと判定した理由を示す値を設定してもよい。次に、ＭＭＥ９０は、ＵＥ５０のＡｔｔａｃｈ接続可否に関する情報をＵＥ５０へ通知してもよい（Ｓ４４）。
【００５３】
続いて、図８を用いて本発明の実施の形態２の変形例３にかかるＵＥ５０のモバイルネットワーク４０への接続を許可するか否かを判定する処理の流れについて、図５、図６及び図７の処理の流れと異なる処理について説明する。ステップＳ５１〜Ｓ５７は、図７のステップＳ３１〜Ｓ３７と同様であるため詳細な説明を省略する。
【００５４】
続いて、ＰＧＷ８０は、Credit Control RequestメッセージをＰＣＲＦ１００へ送信する（Ｓ５８）。ここで、ＰＧＷ８０は、図７のステップＳ３８のように、Credit Control RequestメッセージへＵＥ５０のＧＰＳ情報を設定しなくてもよい。次に、ＰＣＲＦ１００は、Credit Control Requestメッセージへの応答としてCredit Control AnswerメッセージをＰＧＷ８０へ送信する（Ｓ５９）。
【００５５】
次に、ＰＧＷ８０は、ステップＳ５７において受信したＵＥ５０のＧＰＳ情報を設定した位置情報通知メッセージを管理装置３０へ送信する（Ｓ６０）。位置情報通知メッセージは、例えば、Diameterプロトコルによって定義されるメッセージであってもよい。
【００５６】
次に、管理装置３０は、ＧＰＳ情報から特定されるＵＥ５０の位置が、予め通信を許可されているエリアか否かを判定する（Ｓ６１）。
【００５７】
次に、管理装置３０は、ＵＥ５０の接続を許可するか否かに関する判定結果を設定した位置情報通知応答メッセージをＰＧＷ８０へ送信する（Ｓ６２）。位置情報通知応答メッセージは、位置情報通知メッセージと同様にDiameterプロトコルによって定義されるメッセージであってもよい。また、管理装置３０は、接続を許可しないと判定した場合、位置情報通知応答メッセージに、接続を許可しないと判定した理由を示す値を設定してもよい。
【００５８】
次に、ＰＧＷ８０は、ステップＳ５７におけるGTPv2 Create Session Requestメッセージへの応答として、GTPv2 Create Session ResponseメッセージをＭＭＥ９０へ送信する（Ｓ６３）。ここで、ＰＧＷ８０は、ステップＳ６２において、ＵＥ５０の接続を許可しないと判定した理由を示す値が設定されていた場合、GTPv2 Create Session ResponseメッセージにおいてもＵＥ５０の接続を許可しないと判定した理由を示す値を設定してもよい。次に、ＭＭＥ９０は、ＵＥ５０のＡｔｔａｃｈ接続可否に関する情報をＵＥ５０へ通知してもよい（Ｓ６４）。
【００５９】
以上説明したように、本発明の実施の形態２にかかる通信システムを用いることによって、３ＧＰＰにて規定されたネットワークにおいて、ＧＰＳ情報を用いてＵＥ５０がモバイルネットワーク４０へ接続することができるか否かの判定処理を実行することができる。
【００６０】
また、本発明の実施の形態２にかかる通信システムを用いることによって次のようなサービスを実現することができる。例えば、本発明の実施の形態２にかかる通信システムを用いることによって、ＧＰＳ情報によって特定される病院等の特定の場所における携帯電話もしくはスマートフォン等の使用を禁止することができる。ＧＰＳ情報を用いることによって、携帯電話等の使用を禁止するエリアを詳細に設定することができる。
【００６１】
（実施の形態３）
続いて、図９を用いて本発明の実施の形態３にかかるＰＤＰ解放処理の流れについて説明する。ＰＤＰは、ＵＥ５０とＰＧＷ８０との間に設定されているパケットデータを転送するための論理的なパス（経路）情報である。ＰＤＰは、呼種別毎もしくはサービス毎に設定される。例えば、ＵＥ５０とＰＧＷ８０との間には、パケットデータ用のＰＤＰ、音声通話用のＰＤＰ等、複数のＰＤＰが設定されてもよい。
【００６２】
本図においては、ＨＳＳ１１０が、管理装置３０の機能を有するとして、ＰＤＰ解放処理の流れについて説明する。また、本図においては、図５の手順により、ＵＥ５０の接続判定処理が行われ、ＵＥ５０の接続が許可されている状態とする。
【００６３】
はじめに、ＵＥ５０は、Ｕ−Ｐｌａｎｅデータとして、ＧＰＳ情報をＨＳＳ１１０へ送信する（Ｓ７１）。ＵＥ５０は、定期的にＧＰＳ情報をＨＳＳ１１０へ送信してもよく、所定の距離を移動した場合に、ＧＰＳ情報をＨＳＳ１１０へ送信してもよい。
【００６４】
続いて、ＨＳＳ１１０は、ＵＥ５０がモバイルネットワーク４０を介して通信することを許可するか否かを判定する（Ｓ７２）。ここで、ＨＳＳ１１０におけるＵＥ５０に関する通信可否の判定処理について説明する。
【００６５】
ＨＳＳ１１０は、ステップＳ７１において受け取ったＧＰＳ情報から特定されるＵＥ５０の位置が、予め通信が許可されたエリア内であるか否かを判定する。ここで、ＨＳＳ１１０は、ＵＥ５０が、予め通信が許可されたエリア内に存在しないと判定した場合、ＵＥ５０の通信を拒否することを決定してもよい。もしくは、ＨＳＳ１１０は、ＵＥ５０が、予め通信が許可されたエリア内に存在しないと判定した場合、呼種別に応じて、通信を拒否もしくは許可してもよい。
【００６６】
例えば、ＨＳＳ１１０は、ＵＥ５０が予め通信が許可されたエリア外へ移動した場合、音声通話については許可するが、パケットデータの送受信については許可しない等と判定してもよい。
【００６７】
ＨＳＳ１１０は、ステップＳ７２において、通信を拒否することを決定すると、拒否する通信と関連付けられているＰＤＰの解放を指示するために、ＰＤＰ解放要求メッセージをＭＭＥ９０へ送信する（Ｓ７３）。ＨＳＳ１１０は、ＰＤＰ解放要求メッセージにおいて、ＵＥ５０とＰＧＷ８０との間に設定されている全てのＰＤＰの解放を指示してもよく、例えば、パケットデータの送受信に関連付けられているＰＤＰのみの解放を指示してもよい。ここで、ＨＳＳ１１０は、ＰＤＰ解放要求メッセージとして、Ｓ６ａインタフェースにおいて用いられるInsert Subscriber Data Requestメッセージを用いてもよい。
【００６８】
次に、ＭＭＥ９０は、ステップＳ７３のＰＤＰ解放要求メッセージへの応答として、ＰＤＰ解放応答メッセージをＨＳＳ１１０へ送信する（Ｓ７４）。ＭＭＥ９０は、ＰＤＰ解放応答メッセージとして、Ｓ６ａインタフェースにおいて用いられるInsert Subscriber Data Responseメッセージを用いてもよい。
【００６９】
次に、ＭＭＥ９０は、ステップＳ７３において解放を指示されたＰＤＰを解放する処理を起動する（Ｓ７５）。
【００７０】
続いて、図１０を用いて本発明の実施の形態３にかかるＰＤＰ解放処理の流れについて、図９とは異なる処理の流れについて説明する。
【００７１】
はじめに、ＵＥ５０は、ＧＰＳ情報を設定したNAS:S1AP-UplinkNasTransportメッセージをＭＭＥ９０へ送信する（Ｓ８１）。ＧＰＳ情報は、例えば、S1AP-UplinkNasTransportメッセージに含まれるＥＳＭメッセージに設定されてもよい。
【００７２】
次に、ＭＭＥ９０は、ＧＰＳ情報を設定したNotify RequestメッセージをＨＳＳ１１０へ送信する（Ｓ８２）。また、ＭＭＥ９０は、Notify Requestメッセージに、ＵＥ５０に設定されている呼種別を示すＱＣＩ（QoS Class Identifier）情報を設定してもよい。
【００７３】
続いて、ＨＳＳ１１０は、ＵＥ５０がモバイルネットワーク４０を介して通信することを許可するか否かを判定する（Ｓ８３）。ステップＳ８３における判定処理は、図９のステップＳ７２と同様であるため詳細な説明を省略する。
【００７４】
次に、ＨＳＳ１１０は、ステップＳ８３において、通信を拒否することを決定すると、拒否する通信と関連付けられているＰＤＰの解放を指示することを示すNotify AnswerメッセージをＭＭＥ９０へ送信する（Ｓ８４）。
【００７５】
次に、ＭＭＥ９０は、ステップＳ８４において解放を指示されたＰＤＰを解放する処理を起動する（Ｓ８５）。
【００７６】
続いて、図１１を用いて本発明の実施の形態３にかかるＰＤＰ解放処理の流れについて、図９及び図１０とは異なる処理の流れについて説明する。
【００７７】
はじめに、ＭＭＥ９０は、ＧＰＳ情報の送信を要求するために、ＵＥ５０へNAS:S1AP-DownlinkNasTransportメッセージを送信する（Ｓ９１）。例えば、ＧＰＳ情報の送信を要求することを示す情報は、S1AP-DownlinkNasTransportメッセージに含まれるＥＳＭメッセージに設定されてもよい。ＭＭＥ９０は、定期的にＵＥ５０へNAS:S1AP-DownlinkNasTransportメッセージを送信してもよい。もしくは、ＨＳＳ１１０が、ＭＭＥ９０へ、NAS:S1AP-DownlinkNasTransportメッセージを送信するタイミングを通知し、ＭＭＥ９０は、ＨＳＳ１１０から通知されたタイミングに応じて、NAS:S1AP-DownlinkNasTransportメッセージを送信してもよい。
【００７８】
また、ＨＳＳ１１０が、ＭＭＥ９０へ、NAS:S1AP-DownlinkNasTransportメッセージを送信するタイミングを通知する場合、ＮｅｔＬｏｃ（Network Provided Location Information for IMS）機能を利用してもよい。ＮｅｔＬｏｃ機能は、３ＧＰＰにおいて定められている機能であり、ネットワーク側が主導でＵＥが保持する位置情報を取得する手順を定めている。また、ＮｅｔＬｏｃ機能においては、一般的にＵＥが在圏しているセルに関する情報を取得することができるが、ここでは、ＵＥのＧＰＳ情報を取得するようにしてもよい。
【００７９】
ステップＳ９２〜Ｓ９６は、図１０のステップＳ８１〜Ｓ８５と同様であるため詳細な説明を省略する。
【００８０】
続いて、図１２を用いて本発明の実施の形態３にかかるＰＤＰ解放処理の流れについて、図９、図１０及び図１１とは異なる処理の流れについて説明する。
【００８１】
はじめに、ＭＭＥ９０は、ＬＣＳ（Location Service）機能を起動する（Ｓ１０１）。ＭＭＥ９０は、ＬＣＳ機能を起動することによって、ＵＥ５０からＧＰＳ情報を取得する（Ｓ１０２）。ステップＳ１０３〜Ｓ１０６は、図１０のステップＳ８２〜Ｓ８５と同様であるため詳細な説明を省略する。
【００８２】
図９〜図１２においては、ＨＳＳ１１０が管理装置３０の機能を有するとして説明したが、ＨＳＳ１１０が、管理装置３０において実行される機能を有しておらず、ＨＳＳ１１０と管理装置３０とは異なる装置であってもよい。この場合、図９におけるＰＤＰ解放要求メッセージ及びＰＤＰ解放要求応答メッセージは、Diameterプロトコルによって定義されたメッセージに置き換えられてもよい。また、Diameterプロトコルによって定義されたメッセージは、ＭＭＥ９０と管理装置３０との間において送受信される。さらに、図１０〜図１２におけるNotify Requestメッセージ及びNotify Answerメッセージも、Diameterプロトコルによって定義されたメッセージに置き換えられてもよい。また、Diameterプロトコルによって定義されたメッセージは、ＭＭＥ９０と管理装置３０との間において送受信される。
【００８３】
続いて、図１３を用いて、本発明の実施の形態３にかかるＰＤＰ解放処理の流れについて、図９〜図１２とは異なる処理の流れについて説明する。ステップＳ１１１及びＳ１１２は、図９のステップＳ７１及びＳ７２と同様であるため詳細な説明を省略する。
【００８４】
次に、ＨＳＳ１１０は、ステップＳ１１２において、通信を拒否することを決定すると、拒否する通信と関連付けられているＰＤＰの解放を指示するために、ＰＤＰ解放要求メッセージをＰＣＲＦ１００へ送信する（Ｓ１１３）。ＰＣＲＦ１００は、ＰＤＰ解放要求メッセージにおいて、ＵＥ５０とＰＧＷ８０との間に設定されている全てのＰＤＰの解放を指示してもよく、例えば、パケットデータの送受信に関連付けられているＰＤＰのみの解放を指示してもよい。ここで、ＰＣＲＦ１００は、ＰＤＰ解放要求メッセージとして、Diameterプロトコルによって定義されたメッセージを用いてもよい。
【００８５】
次に、ＰＣＲＦ１００は、ステップＳ１１３のＰＤＰ解放要求メッセージへの応答として、ＰＤＰ解放応答メッセージをＰＣＲＦ１００へ送信する（Ｓ１１４）。ＰＣＲＦ１００は、ＰＤＰ解放応答メッセージとして、Diameterプロトコルによって定義されたメッセージを用いてもよい。
【００８６】
次に、ＰＣＲＦ１００は、ステップＳ１１３において解放を指示されたＰＤＰを解放する処理を起動する（Ｓ１１５）。
【００８７】
続いて、図１４を用いて、本発明の実施の形態３にかかるＰＤＰ解放処理の流れについて、図９〜図１３とは異なる処理の流れについて説明する。
【００８８】
はじめに、ＵＥ５０は、ＧＰＳ情報を設定したNAS:S1AP-UplinkNasTransportメッセージをＭＭＥ９０へ送信する（Ｓ１２１）。ＧＰＳ情報は、例えば、S1AP-UplinkNasTransportメッセージに含まれるＥＳＭメッセージに設定されてもよい。
【００８９】
次に、ＭＭＥ９０は、ＳＧＷ７０へＧＰＳ情報を設定したGTPv2 Modify Bearer Requestメッセージを送信し、さらに、ＳＧＷ７０は、ＰＧＷ８０へＧＰＳ情報を設定したGTPv2 Modify Bearer Requestメッセージを送信する（Ｓ１２２）。
【００９０】
次に、ＰＧＷ８０は、ＧＰＳ情報を設定したCredit Control RequestメッセージをＰＣＲＦ１００へ送信する（Ｓ１２３）。次に、ＰＣＲＦ１００は、ＧＰＳ情報を設定した位置情報通知メッセージを管理装置３０へ送信する。
【００９１】
次に、ＰＣＲＦ１００は、ＧＰＳ情報を設定した位置情報通知メッセージを管理装置３０へ送信する（Ｓ１２４）。また、ＰＣＲＦ１００は、位置情報通知メッセージに、ＵＥ５０に設定されている呼種別を示すＱＣＩ（QoS Class Identifier）情報を設定してもよい。さらに、ＰＣＲＦ１００は、位置情報通知メッセージに、ＩＭＳＩもしくはＭＳＩＳＤＮ等の加入者番号を設定してもよい。位置情報通知メッセージは、例えば、Diameterプロトコルによって定義されるメッセージであってもよい。
【００９２】
続いて、管理装置３０は、ＵＥ５０がモバイルネットワーク４０を介して通信することを許可するか否かを判定する（Ｓ１２５）。ステップＳ１２５における判定処理は、図９のステップＳ７２と同様であるため詳細な説明を省略する。
【００９３】
次に、管理装置３０は、ステップＳ１２５において、通信を拒否することを決定すると、拒否する通信と関連付けられているＰＤＰの解放を指示することを示す位置情報通知応答メッセージをＰＣＲＦ１００へ送信する（Ｓ１２６）。位置情報通知応答メッセージは、位置情報通知メッセージと同様にDiameterプロトコルによって定義されるメッセージであってもよい。
【００９４】
次に、ＰＣＲＦ１００は、ステップＳ１２６において解放を指示されたＰＤＰを解放する処理を起動する（Ｓ１２７）。
【００９５】
続いて、図１５を用いて、本発明の実施の形態３にかかるＰＤＰ解放処理の流れについて、図９〜図１４とは異なる処理の流れについて説明する。はじめに、ＰＣＲＦ１００は、ＵＥ５０に関するＧＰＳ情報の送信を要求することを示すRe Auth Request（RAR）メッセージをＰＧＷ８０へ送信する（Ｓ１３１）。次に、ＰＧＷ８０は、ＳＧＷ７０へGTPv2 Update Bearer Requestメッセージを送信し、さらに、ＳＧＷ７０は、ｅＮＢ６０へGTPv2 Update Bearer Requestメッセージを送信する（Ｓ１３２）。
【００９６】
次に、ＭＭＥ９０は、ＧＰＳ情報の送信を要求するために、ＵＥ５０へNAS:S1AP-DownlinkNasTransportメッセージを送信する（Ｓ１３１）。例えば、ＧＰＳ情報の送信を要求することを示す情報は、S1AP-DownlinkNasTransportメッセージに含まれるＥＳＭメッセージに設定されてもよい。ＭＭＥ９０は、定期的にＵＥ５０へNAS:S1AP-DownlinkNasTransportメッセージを送信してもよい。もしくは、ＨＳＳ１１０が、ＭＭＥ９０へ、NAS:S1AP-DownlinkNasTransportメッセージを送信するタイミングを通知し、ＭＭＥ９０は、ＨＳＳ１１０から通知されたタイミングに応じて、NAS:S1AP-DownlinkNasTransportメッセージを送信してもよい。
【００９７】
ステップＳ１３４〜ステップＳ１４０は、図１４のステップＳ１２１〜Ｓ１２７と同様であるため詳細な説明を省略する。ただし、ステップＳ１２２におけるGTPv2 Modify Bearer Requestメッセージは、ステップＳ１３５においては、GTPv2 Update Bearer Responseメッセージに置き換えられている。
【００９８】
続いて、図１６を用いて、本発明の実施の形態３にかかるＰＤＰ解放処理の流れについて、図９〜図１５とは異なる処理の流れについて説明する。ステップＳ１５１及びＳ１５２は、図１５のステップＳ１３１及びＳ１３２と同様であるため詳細な説明を省略する。
【００９９】
次に、ＭＭＥ９０は、ＬＣＳ（Location Service）機能を起動する（Ｓ１５３）。ＭＭＥ９０は、ＬＣＳ機能を起動することによって、ＵＥ５０からＧＰＳ情報を取得する（Ｓ１０２）。ステップＳ１５５〜Ｓ１６０は、図１５のステップＳ１３５〜Ｓ１４０と同様であるため詳細な説明を省略する。
【０１００】
以上説明したように、本発明の実施の形態３にかかる通信システムを用いることによって、一度ＵＥ５０のモバイルネットワーク４０への接続を許可した後においても、管理装置３０もしくはＨＳＳ１１０は、ＵＥ５０の位置を追跡することができる。そのため、管理装置３０もしくはＨＳＳ１１０は、ＵＥ５０が予め通信が許可されたエリアの外へ移動した場合、呼種別に応じてＵＥ５０の通信可否を判定することができる。
【０１０１】
本発明の実施の形態３にかかる通信システムを用いると、電車内もしくは病院等の特定の場所における携帯電話等の通信機能を制限することができる。例えば、電車内においては、音声通話の使用を禁止し、インターネットを介したＷｅｂの閲覧等の使用を許可することもできる。また、病院においては、携帯電話等の使用を一切禁止することもできる。
【０１０２】
また、近年、ユーザが歩きながらスマートフォンを使用することによって、周囲の人に迷惑をかけることも問題となっている。これに対して、本発明の実施の形態３にかかる通信システムを用いることによって、予め許可された通信エリアの外における特定の通信を禁止することができる。そのため、歩きながらスマートフォンを使用することを禁止することができる。また、歩きながらのスマートフォンの使用であっても、スマートフォンを用いて電話をする場合、ユーザの視野は広く保たれている状態である。そのため、このような場合、予め許可された通信エリアの外においては、音声通話を許可し、ユーザの視野が狭くなるインターネットアクセス等については禁止することもできる。
【０１０３】
上述の実施の形態では、本発明をハードウェアの構成として説明したが、本発明は、これに限定されるものではない。本発明は、移動通信端末２０、コアネットワーク装置１０及び管理装置３０における処理を、ＣＰＵ（Central Processing Unit）にコンピュータプログラムを実行させることにより実現することも可能である。）
【０１０４】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１０５】
なお、本発明は上記実施の形態に限られたものではなく、趣旨を逸脱しない範囲で適宜変更することが可能である。
【符号の説明】
【０１０６】
１０  コアネットワーク装置
２０  移動通信端末
３０  管理装置
３１  通信部
３２  判定部
４０  モバイルネットワーク
５０  ＵＥ
５１  通信部
５２  ＧＰＳ情報生成部
５３  信号生成部
６０  ｅＮＢ
７０  ＳＧＷ
８０  ＰＧＷ
９０  ＭＭＥ
９１  通信部
９２  信号生成部
１００  ＰＣＲＦ
１１０  ＨＳＳ
【図１】
2016174337.tif 000003
【図２】
2016174337.tif 000004
【図３】
2016174337.tif 000005
【図４】
2016174337.tif 000006
【図５】
2016174337.tif 000007
【図６】
2016174337.tif 000008
【図７】
2016174337.tif 000009
【図８】
2016174337.tif 000010
【図９】
2016174337.tif 000011
【図１０】
2016174337.tif 000012
【図１１】
2016174337.tif 000013
【図１２】
2016174337.tif 000014
【図１３】
2016174337.tif 000015
【図１４】
2016174337.tif 000016
【図１５】
2016174337.tif 000017
【図１６】
2016174337.tif 000018